(57)【要約】【課題】構造が簡素化され、ＰＴＰ包装シートを簡便に着脱できる収納ケースを提案する。【解決手段】収納ケースを、ＰＴＰ包装シート１の表面に位置する天板２と、該ＰＴＰ包装シート１の裏面に位置する底板３と、これら天板２、底板３の縁部にそれぞれつながり該天板２、底板３を該ＰＴＰ包装シート１の出し入れ口Ｍを残して相互に連結してその内側にＰＴＰ包装シート１の収容空間を形成する周壁４とを備えたもので構成する。そして、前記天板２に、ＰＴＰ包装シート１の各凸状収納部の少なくとも上面部を入れ込む内部空間を有し、該各凸状収納部をそれぞれ個別に押圧してその内部に収納した内容物の押し出しを可能とする複数のドーム状の押圧部５を設け、前記底板３に、該各凸状収納部から押し出された内容物をケースの外側に排出する複数の取り出し口６を設ける。【選択図】図１
2014108803.tif 000002
【特許請求の範囲】
【請求項１】
ＰＴＰ包装シートの表面に位置する天板と、該ＰＴＰ包装シートの裏面に位置する底板と、これら天板、底板の縁部にそれぞれつながり該天板、底板を該ＰＴＰ包装シートの出し入れ口を残して相互に連結してその内側にＰＴＰ包装シートの収容空間を形成する周壁とを備え、
前記天板に、ＰＴＰ包装シートの各凸状収納部の少なくとも上面部を入れ込む内部空間を有し、該各凸状収納部をそれぞれ個別に押圧してその内部に収納した内容物の押し出しを可能とする複数のドーム状の押圧部を設け、
前記底板に、該各凸状収納部から押し出された内容物をケースの外側に排出する複数の取り出し口を設けたことを特徴とするＰＴＰ包装シートの収納ケース。
【請求項２】
前記出し入れ口に、前記収容空間に収容されたＰＴＰ包装シートの端部に連係して該収容空間からの該ＰＴＰ包装シートの抜け出しを防止するストッパーを設けたことを特徴とする請求項１に記載したＰＴＰ包装シートの収納ケース。
【請求項３】
前記底板に、前記取り出し口を閉塞し内容物の押し出しに伴う弾性変形にて該内容物をケースの外側へ排出する一文字または十文字のスリットを設けたことを特徴とする請求項１または２に記載したＰＴＰ包装シートの収納ケース。
【請求項４】
前記天板、底板および周壁は、軟質材にて形成された一体物からなることを特徴とする請求項１〜３のいずれか１に記載したＰＴＰ包装シートの収納ケース。
【請求項５】
前記押圧部は、透明または半透明の材質からなることを特徴とする請求項１〜４のいずれか１に記載のＰＴＰ包装シートの収納ケース。
【発明の詳細な説明】
【技術分野】
【０００１】
本発明は、錠剤やカプセル等を包装したＰＴＰ（press through pack）包装シートの収納ケースに関するものである。
【背景技術】
【０００２】
ＰＴＰ包装シートは、錠剤やカプセル等の内容物を収納する収納空間が形成された複数の収納凸部を備えた合成樹脂製のシートと、この合成樹脂製のシートの裏面に貼着され、内容物が収納された収納空間を密封するアルミ製のシートにて構成されるものであって、錠剤やカプセルを入れる包装物として多用されている。
【０００３】
ＰＴＰ包装シートの収納空間内に収納された内容物は、収納凸部に押圧力を加えて該凸部を押し潰すとともにアルミ製のシートを破って取り出すのが普通であるが、ＰＴＰ包装シートはそれ自体腰がないため内容物が取り出しにくい。また、ＰＴＰ包装シートを携帯する場合には誤って凸部を押し潰してしまうこともある。さらに、ＰＴＰ包装シートには、ミシン目状の切り取り線が設けられており、それに沿って切り取ることで包装された内容物を小分けすることができることからＰＴＰ包装シートに包装されたまま内容物を使用してしまうことが懸念されるうえ、内容物が規定通りに使用されたかどうかわからなくなる場合もある。
【０００４】
このため、従来は、規定の個数だけ収納されたＰＴＰ包装シートを装填空間にそのまま入れ込み、その状態で内容物のみを取り出すようにした、例えば、特許文献１にみられるような収納ケースが使用されている。
【先行技術文献】
【特許文献】
【０００５】
【特許文献１】特開２００２−２５５２５６号公報
【０００６】
しかしながら、上記従来の収納ケースにあっては、部品点数が多くなり構造の複雑化が避けられず、組み立て作業に多くの時間、工数を費やすことから効率的な製造が行えない状況にある。しかも、ＰＴＰ包装シートを収納ケースに装填するに当たっては、該ＰＴＰ包装シートの方向決めや収納ケースの蓋体を開け閉めする面倒な操作が必要であり、未だ改善の余地が残されている。
【発明の開示】
【発明が解決しようとする課題】
【０００７】
本発明の課題は、構造の簡素化、部品点数の削減が可能であり、かつ、ＰＴＰ包装シートを簡便に着脱できる収納ケースを提案するところにある。
【課題を解決するための手段】
【０００８】
本発明は、ＰＴＰ包装シートの表面に位置する天板と、該ＰＴＰ包装シートの裏面に位置する底板と、これら天板、底板の縁部にそれぞれつながり該天板、底板を該ＰＴＰ包装シートの出し入れ口を残して相互に連結してその内側にＰＴＰ包装シートの収容空間を形成する周壁とを備え、前記天板に、ＰＴＰ包装シートの各凸状収納部の少なくとも上面部を入れ込む内部空間を有し、該各凸状収納部をそれぞれ個別に押圧してその内部に収納した内容物の押し出しを可能とする複数のドーム状の押圧部を設け、前記底板に、該各凸状収納部から押し出された内容物をケースの外側に排出する複数の取り出し口を設けたことを特徴とするＰＴＰ包装シートの収納ケースである。
【０００９】
上記の構成からなる収納ケースにおいては、前記出し入れ口に、前記収容空間に収納されたＰＴＰ包装シートの端部に連係して該収容空間からの該ＰＴＰ包装シートの抜け出しを防止するストッパーを設けること、また、前記底板に、前記取り出し口を閉塞し内容物の押し出しに伴なう弾性変形にて該内容物をケースの外側へ排出する一文字または十文字のスリットを設けること、さらに、前記天板、底板および周壁は、軟質材にて形成された一体物にて構成することが望ましい。また、前記押圧部は、透明または半透明の材質からなる部材を適用するのが好ましい。
【発明の効果】
【００１０】
上記の構成からなるＰＴＰ包装シートの収納ケースによれば、該収納ケースを、ＰＴＰ包装シートの表面に位置する天板と、該ＰＴＰ包装シートの裏面に位置する底板と、これら天板、底板の縁部にそれぞれつながり該天板、底板を該ＰＴＰ包装シートの出し入れ口を残して相互に連結してその内側にＰＴＰ包装シートの収容空間を形成する周壁とを備えたもので構成し、天板に、ＰＴＰ包装シートの各凸状収納部の少なくとも上面部を入れ込む内部空間を有し、該各凸状収納部をそれぞれ個別に押圧してその内部に収納した内容物の押し出しを可能とする複数のドーム状の押圧部を設け、底板に、該各凸状収納部から押し出された内容物をケースの外側に排出する複数の取り出し口を設けたため、構造の簡素化が可能であり、部品点数の削減を図ることができる。また、ＰＴＰ包装シートの着脱は、出し入れ口を通して抜き差しするだけの簡単な操作ですみ、使い勝手がよい。
【００１１】
また、本発明によれば、出し入れ口に、収容空間に収納されたＰＴＰ包装シートの端部に連係して該収容空間からの該ＰＴＰ包装シートの抜け出しを防止するストッパーを設けたため、ＰＴＰ包装シートが収納ケースから簡単に抜け出ることがない。
【００１２】
また、本発明によれば、底板に、前記取り出し口を閉塞し内容物の押し出しに伴う弾性変形にて該内容物をケースの外側へ排出する一文字または十文字のスリットを設けたため、収納ケース内への埃やごみの侵入を回避することが可能であり、衛生面での改善を図ることができる。
【００１３】
また、上記の構成からなる本発明の収納ケースによれば、天板、底板および周壁は、軟質材にて形成された単一物で構成することができるため、原料の使用量を削減することが可能であり、また、ケースの組み立て作業が不要となるため効率的な製造が可能となる。
【００１４】
さらに、本発明によれば、押圧部は、透明または半透明の材質からなるものとしたため、内容物の使用状況が一目でわかる。
【図面の簡単な説明】
【００１５】
【図１】本発明にしたがう収納ケースの実施の形態を天板を上側にして模式的に示した外観斜視図である。
【図２】図１に示したがう収納ケースを底板側を上側にして模式的に示した外観斜視図である。
【図３】本発明にしたがう収納ケースの他の実施の形態を示した図である。
【発明を実施するための最良の形態】
【００１６】
以下、図面を参照して本発明をより具体的に説明する。
図１は本発明に従う収納ケースの実施の形態を天板を上側にしてＰＴＰ包装シートとともに模式的に示した外観斜視図であり、図２は、図１に示した収納ケースの底板側を上側にして模式的に示した外観斜視図である。
【００１７】
図における符号１は、ＰＴＰ包装シートである。このＰＴＰ包装シート１は、錠剤やカプセル等の内容物Ｎを収納する収納空間が形成された複数の凸部（以下、この凸部を凸状収納部１ａ１と記す）を備えた合成樹脂製のシート１ａと、この合成樹脂製のシート１ａの裏面に貼着され、内容物Ｎが収納された収納空間を密封するアルミの如き薄い金属製のシート１ｂにて構成されている。
【００１８】
また、２は、該ＰＴＰ包装シート１の表面（凸状収納部が形成された合成樹脂製のシート１ａが存在する側）に位置する天板、３は、ＰＴＰ包装シート１の裏面（金属製のシート１ｂが存在する側）に位置する底板、４は、天板２、底板３の縁部にそれぞれつながり該天板２、底板３を該ＰＴＰ包装シート１の出し入れ口Ｍを残して相互に連結してその内側にＰＴＰ包装シート１の収容空間を形成する周壁である。天板２、底板３及び周壁４は、シリコンゴムやエラストマー等の軟質部材を用い一体的に成形されたものを適用することができる。
【００１９】
また、５は、天板１に一体的に設けられ、ＰＴＰ包装シート１の各凸状収納部１ａ１の少なくとも上面部を入れ込む内部空間を有するドーム状の押圧部である。この押圧部５は、弾性変形可能な軟質部材からなり（天板２、底板３、周壁４と同一の部材にて構成される）、ＰＴＰ包装シート１の各凸状収納部１ａ１の数に合わせて複数個設けられていて、この部位に押圧力を付加することによってＰＴＰ包装シート１の凸状収納部１ａ１を押し潰してその内部に収納された内容物を押し出すことできるようになっている。押圧部５は、好ましくは天板２、底板３、周壁４を含めて透明または半透明の材質の部材で構成される。
【００２０】
押圧部５は、天板２、底板３、周壁４とは異なる材質の部材からなるものとして、これをインサート成形によって形成するようにしてもよい。これにより、押圧部５のみを透明または半透明とし、その他の天板２、底板３、周壁４を不透明にすることが容易となる。
【００２１】
また、６は、底板２に設けられた取り出し口である。この取り出し口６は、押圧部５の対向する部位に設けられており、ＰＴＰ包装シート１の各凸状収納部１ａ１から押し出された内容物Ｎをケースの外側に排出する。
【００２２】
また、７ａ、７ｂは、出し入れ口Ｍの周壁３の内側面の対向位置に設けられた爪状のストッパーである。このストッパー７ａ、７ｂは、周壁３と一体的に成形されるものであって、出し入れ口Ｍを通してＰＴＰ包装シート１をケースの収容空間に差し入れ、該ＰＴＰ包装シート１の端部１ｃに連係させることによりＰＴＰ包装シート１の、該収容空間からの抜け出しを防止する。ストッパー７ａ、７ｂは、爪状のものを例として示したが、その形状及び個数は適宜変更可能であり、図示のものには限定されない。
【００２３】
上記の構成からなる収納ケースは、単一部材で構成することが可能な簡素化された構造からなるものであって、収納ケースの効率的な製造が可能であり、コストの低減を図ることができる。また、ＰＴＰ包装シート１を出し入れ口Ｍを通して抜き差しするだけで着脱を行うことができ、収納ケースへの着脱が容易になる。
【００２４】
図３は、底板３を上面にして表示した本発明にしたがう収納ケースの他の実施の形態を示した図である。図３における符号８は、底板３に設けられたスリットである。このスリット８は、押圧部５の対向位置に設けられるものであって、その切込み端面が相互に合わさっているため、ここを通して収納ケース内に埃やごみが侵入することはない。しかし、押圧部５によってＰＴＰ包装シート１の凸状収納部が押し潰され、その内部に収納された内容物が押し出されたときに底板３の弾性変形により切込み端面が離反、解放されてそこを通して内容物が収納ケースの外へと排出される。この場合、取り出し口６は省略される。
【００２５】
スリット８は、この例では、一文字のスリットを例として示したが、十文字のスリットを適用することも可能であり、これにより、内容物の排出がより容易になる。
【００２６】
出し入れ口Ｍに面する天板２および底板３の少なくとも一方の端縁には、図３に示す如き切欠き凹所９を設けておくことができる。これにより使用済みのＰＴＰ包装シート１を収納ケースから取り外すとき、該ＰＴＰ包装シート１を摘まんで簡単に引き抜くことが可能となる。
【産業上の利用可能性】
【００２７】
本発明によれば、構造が簡素化され、ＰＴＰ包装シートの着脱を簡便に行い得る収納ケースが提供できる。
【符号の説明】
【００２８】
１      ＰＴＰ包装シート
１ａ    合成樹脂製のシート
１ｂ    アルミ製のシート
２      天板
３      底板
４      周壁
５      ドーム状の押圧部
６      取り出し口（貫通口）
７ａ、７ｂ    ストッパー
８      スリット
９      切欠き凹所
Ｍ      出し入れ口
Ｎ      内容物
【図１】
2014108803.tif 000003
【図２】
2014108803.tif 000004
【図３】
2014108803.tif 000005